(57)【要約】【課題】煩雑な作業を必要とせずに音楽付きスライドショーを再生する。【解決手段】音楽の再生に必要な音楽データを記憶する音楽データ記憶手段と、画像の表示に必要な画像データを記憶する画像データ記憶手段と、音楽データに基づいて音楽の再生を行う音楽再生手段と、画像データに基づいて画像の表示を行う画像表示手段とを備えた画像記録再生装置において、画像表示手段による各画像の閲覧状況を計測し、該計測結果を各画像データに対応させて記憶し、音楽再生手段が音楽データに基づいて音楽の再生を行う際に、記憶された各画像データの計測結果に応じて画像表示手段による画像表示を制御する。【選択図】図２
2007174467.tif 000002
【特許請求の範囲】
【請求項１】
音楽の再生に必要な音楽データを記憶する音楽データ記憶手段と、画像の表示に必要な画像データを記憶する画像データ記憶手段と、前記音楽データに基づいて音楽の再生を行う音楽再生手段と、前記画像データに基づいて画像の表示を行う画像表示手段とを備えた画像記録再生装置において、
前記画像表示手段による前記各画像の閲覧状況を計測する閲覧状況計測手段と、
該閲覧状況計測手段による計測結果を前記各画像データに対応させて記憶する閲覧状況記憶手段と、
前記音楽再生手段が前記音楽データに基づいて音楽の再生を行う際に、前記閲覧状況記憶手段に記憶された前記各画像データの計測結果に応じて前記画像表示手段による画像表示を制御する表示制御手段と、
を更に備えることを特徴とする画像記録再生装置。
【請求項２】
音楽の再生に必要な音楽データを記憶する音楽データ記憶手段と、画像の表示に必要な画像データを記憶する画像データ記憶手段と、前記音楽データに基づいて音楽の再生を行う音楽再生手段と、前記画像データに基づいて画像の表示を行う画像表示手段とを備えた画像記録再生装置において、
前記画像表示手段による前記各画像の閲覧状況を計測する閲覧状況計測手段と、
前記閲覧状況計測手段による計測結果に応じて、前記画像データ毎に点数を付与する点数付与手段と、
前記点数付与手段によって付与された点数を前記画像データに対応させて記憶する点数記憶手段と、
前記画像データを所定条件に従って複数のグループに分類する画像分類手段と、
前記画像表示手段による前記画像データに基づいた画像の表示を制御する表示制御手段と、
を備え、前記点数付与手段が、前記各グループに分類された前記画像データの点数に基づいて定められる特定の前記グループに属する前記画像データの点数に所定点数を加算するものであり、
前記点数記憶手段が、前記点数付与手段によって前記所定点数が加算された後の点数を前記画像データの点数として更新して記憶するものであり、
前記音楽再生手段が前記音楽データに基づいて音楽の再生を行う際に、前記表示制御手段が前記点数記憶手段に記憶された前記各画像データの点数に応じて前記画像表示手段による画像表示を制御することを特徴とする画像記録再生装置。
【請求項３】
前記画像分類手段が、前記画像データに対応する画像の撮影条件に応じて前記画像データを前記複数のグループに分類するものであることを特徴とする請求項２に記載の画像記録再生装置。
【請求項４】
前記画像分類手段が、前記画像データに対応する画像に含まれる被写体に応じて前記画像データを前記複数のグループに分類するものであることを特徴とする請求項２に記載の画像記録再生装置。
【請求項５】
前記閲覧状況計測手段が、前記各画像の閲覧状況として前記各画像の閲覧時間を計測するものであることを特徴とする請求項１〜４の何れか一項に記載の画像記録再生装置。
【請求項６】
前記閲覧状況計測手段が、前記各画像の閲覧状況として前記各画像の閲覧回数を計測するものであることを特徴とする請求項１〜５の何れか一項に記載の画像記録再生装置。
【請求項７】
被写体を撮像し、該被写体像に応じた画像データを取得する撮像部を更に備えることを特徴とする請求項１〜６に記載の画像記録再生装置。
【請求項８】
音楽の再生に必要な音楽データを記憶する音楽データ記憶手段と、画像の表示に必要な画像データを記憶する画像データ記憶手段と、前記音楽データに基づいて音楽の再生を行う音楽再生手段と、前記画像データに基づいて画像の表示を行う画像表示手段とを備えた画像記録再生装置にて用いられる画像記録再生方法において、
前記画像表示手段による前記各画像の閲覧状況を計測し、
該計測結果を前記各画像データに対応させて記憶し、
前記音楽再生手段が前記音楽データに基づいて音楽の再生を行う際に、前記各画像データの計測結果に応じて前記画像表示手段による画像表示を制御することを特徴とする画像記録再生方法。
【請求項９】
音楽の再生に必要な音楽データを記憶する音楽データ記憶手段と、画像の表示に必要な画像データを記憶する画像データ記憶手段と、前記音楽データに基づいて音楽の再生を行う音楽再生手段と、前記画像データに基づいて画像の表示を行う画像表示手段とを備えた画像記録再生装置にて用いられる画像記録再生方法において、
前記画像表示手段による前記各画像の閲覧状況を計測し、
前記計測結果に応じて、前記画像データ毎に点数を付与し、
前記付与された点数を前記画像データに対応させて記憶し、
前記画像データを所定条件に従って複数のグループに分類し、
前記各グループに分類された前記画像データの点数に基づいて定められる特定の前記グループに属する前記画像データの点数に所定点数を加算し、
前記所定点数が加算された後の点数を前記画像データの点数として更新して記憶し、
前記音楽再生手段が前記音楽データに基づいて音楽の再生を行う際に、前記記憶された前記各画像データの点数に応じて前記画像表示手段による画像表示を制御することを特徴とする画像記録再生方法。
【発明の詳細な説明】
【技術分野】
【０００１】
本発明は、画像の表示と共に音楽の再生が可能な画像記録再生装置及び画像記録再生方法において、簡単に音楽付きスライドショーを再生することができる画像記録再生装置及び画像記録再生方法に関するものである。
【背景技術】
【０００２】
近年の記憶媒体の大容量化に伴い、複数の音楽データや画像データを１つの記憶媒体に記憶可能となった。このような記憶媒体に記憶された音楽データと画像データに基づいた音楽再生と画像表示が可能な携帯電話や電子手帳等の電子機器が普及している。
【０００３】
また、特許文献１には、好みの音楽に画像を対応させ、その音楽を再生するときに対応させた画像が表示されるような音楽付きスライドショーを作成することができる映像記録／再生装置について記載されている。
【特許文献１】特開平０４−２１５２８１号公報
【発明の開示】
【発明が解決しようとする課題】
【０００４】
しかしながら、特許文献１に記載された発明の場合、好みの音楽に画像を対応させるために煩雑な作業が必要であり、音楽付きスライドショーを作成するために手間がかかっていた。
【０００５】
本発明は、上記事情に鑑みてなされたものであり、煩雑な作業を必要とせずに音楽付きスライドショーを作成可能な画像記録再生装置及び画像記録再生方法を提供することを目的としている。
【課題を解決するための手段】
【０００６】
以上の課題を解決するために、第１の発明における画像再生記録装置は、音楽の再生に必要な音楽データを記憶する音楽データ記憶手段と、画像の表示に必要な画像データを記憶する画像データ記憶手段と、前記音楽データに基づいて音楽の再生を行う音楽再生手段と、前記画像データに基づいて画像の表示を行う画像表示手段とを備えた画像記録再生装置において、前記画像表示手段による前記各画像の閲覧状況を計測する閲覧状況計測手段と、該閲覧状況計測手段による計測結果を前記各画像データに対応させて記憶する閲覧状況記憶手段と、前記音楽再生手段が前記音楽データに基づいて音楽の再生を行う際に、前記閲覧状況記憶手段に記憶された前記各画像データの計測結果に応じて前記画像表示手段による画像表示を制御する表示制御手段と、を更に備えることを特徴とする。
【０００７】
ここで「画像表示手段による画像表示を制御する」とは、例えば、画像の表示順序、表示時間等を各画像データの計測結果に応じて制御することを示す。
【０００８】
更に、第２の発明における画像再生記録装置は、音楽の再生に必要な音楽データを記憶する音楽データ記憶手段と、画像の表示に必要な画像データを記憶する画像データ記憶手段と、前記音楽データに基づいて音楽の再生を行う音楽再生手段と、前記画像データに基づいて画像の表示を行う画像表示手段とを備えた画像記録再生装置において、前記画像表示手段による前記各画像の閲覧状況を計測する閲覧状況計測手段と、前記閲覧状況計測手段による計測結果に応じて、前記画像データ毎に点数を付与する点数付与手段と、前記点数付与手段によって付与された点数を前記画像データに対応させて記憶する点数記憶手段と、前記画像データを所定条件に従って複数のグループに分類する画像分類手段と、前記画像表示手段による前記画像データに基づいた画像の表示を制御する表示制御手段と、を備え、前記点数付与手段が、前記各グループに分類された前記画像データの点数に基づいて定められる特定の前記グループに属する前記画像データの点数に所定点数を加算するものであり、前記点数記憶手段が、前記点数付与手段によって前記所定点数が加算された後の点数を前記画像データの点数として更新して記憶するものであり、前記音楽再生手段が前記音楽データに基づいて音楽の再生を行う際に、前記表示制御手段が前記点数記憶手段に記憶された前記各画像データの点数に応じて前記画像表示手段による画像表示を制御することを特徴とする。
【０００９】
ここで「特定の前記グループ」の決定の仕方として、具体的に以下の方法が適用可能である。例えば、（１）グループに含まれる画像データの点数の平均点が最も高いグループを特定のグループとする、（２）グループに含まれる画像データの点数の平均点が基準となる点数より高いグループを特定のグループとする、（３）最も点数の高い画像データを含むグループを特定のグループとする方法、等である。
【００１０】
また「特定の前記グループに属する前記画像データの点数に所定点数を加算するものであり」とは、例えば上記した例を用いて説明すると、（１）グループに含まれる画像データの点数の平均点が最も高いグループに属する画像データのみに所定点数を加算する、（２）グループに含まれる画像データの点数の平均点が基準となる点数より高いグループ全てに属する画像データに所定点数を加算する、（３）グループに含まれる画像データの点数の平均点の高い順に加算する点数が大きくなるように設定し、各グループに属する画像データに対してそのグループの平均点の順番に対応する点数を加算する、等である。
【００１１】
尚、第２の発明において、前記画像分類手段が、前記画像データに対応する画像の撮影条件に応じて前記画像データを前記複数のグループに分類するものであることとしてもよい。ここで「撮影条件」とは、例えば、画像内の人物の有無、撮影場所が屋外又は屋内か、被写体距離が所定距離より近いか遠いか等である。
【００１２】
また、前記画像分類手段が、前記画像データに対応する画像に含まれる被写体に応じて前記画像データを前記複数のグループに分類するものであることとしてもよい。ここで「被写体」とは、例えば、人物（人物の顔）、動物、建造物等である。
【００１３】
尚、第１及び第２の発明において、前記閲覧状況計測手段が、前記各画像の閲覧状況として前記各画像の閲覧時間を計測するものであることとしてもよい。また、前記閲覧状況計測手段が、前記各画像の閲覧状況として前記各画像の閲覧回数を計測するものであることとしてもよい。
【００１４】
尚、第１及び第２の発明において、被写体を撮像し、該被写体像に応じた画像データを取得する撮像部を更に備えることとしてもよい。
【００１５】
第３の発明における画像記録再生方法は、音楽の再生に必要な音楽データを記憶する音楽データ記憶手段と、画像の表示に必要な画像データを記憶する画像データ記憶手段と、前記音楽データに基づいて音楽の再生を行う音楽再生手段と、前記画像データに基づいて画像の表示を行う画像表示手段とを備えた画像記録再生装置にて用いられる画像記録再生方法において、前記画像表示手段による前記各画像の閲覧状況を計測し、該計測結果を前記各画像データに対応させて記憶し、前記音楽再生手段が前記音楽データに基づいて音楽の再生を行う際に、前記各画像データの計測結果に応じて前記画像表示手段による画像表示を制御することを特徴とする。
【００１６】
第４の発明における画像記録再生方法は、音楽の再生に必要な音楽データを記憶する音楽データ記憶手段と、画像の表示に必要な画像データを記憶する画像データ記憶手段と、前記音楽データに基づいて音楽の再生を行う音楽再生手段と、前記画像データに基づいて画像の表示を行う画像表示手段とを備えた画像記録再生装置にて用いられる画像記録再生方法において、前記画像表示手段による前記各画像の閲覧状況を計測し、前記計測結果に応じて、前記画像データ毎に点数を付与し、前記付与された点数を前記画像データに対応させて記憶し、前記画像データを所定条件に従って複数のグループに分類し、前記各グループに分類された前記画像データの点数に基づいて定められる特定の前記グループに属する前記画像データの点数に所定点数を加算し、前記所定点数が加算された後の点数を前記画像データの点数として更新して記憶し、前記音楽再生手段が前記音楽データに基づいて音楽の再生を行う際に、前記記憶された前記各画像データの点数に応じて前記画像表示手段による画像表示を制御することを特徴とする。
【発明の効果】
【００１７】
画像毎に閲覧時間、閲覧回数等の閲覧状況を計測して記憶することにより、その画像が長く又は多く閲覧されているユーザ好みの画像であるかを判断する判断材料とすることができる。更に、音楽を再生する際に、計測した閲覧状況に応じて画像の表示制御を行う（例えば、閲覧時間の長い或いは閲覧回数の多い順に画像を表示させる、又は閲覧時間の長さ或いは閲覧時間の多さに応じて表示時間を長くする）ことにより、ユーザは煩雑な作業をすることなく、好みの画像を用いた音楽付きスライドショーを簡単に楽しむことができる。
【００１８】
また、画像データをグループ化し、グループに含まれる画像データの点数に基づいて特定のグループを定め、そのグループに属する画像データの点数に所定点数を加算することにより、ユーザの好みの画像であるが、見逃していたために閲覧時間が短く、或いは閲覧回数が少なくて点数が低かった画像の点数を高くすることができる。そして、音楽を再生する際に、画像データの点数に応じて画像の表示制御を行うことにより、ユーザの好みの画像を用いた音楽付きスライドショーを簡単に楽しむことができる。
【発明を実施するための最良の形態】
【００１９】
以下、図面を参照して実施の形態について説明する。尚、以下の実施の形態では、本発明の画像記録再生装置をカメラ付き携帯電話に適用した場合について説明するが、カメラ付き携帯電話以外に、デジタルカメラ、デジタルビデオカメラ、カメラ付きＰＤＡ（Personal Digital Assistance）、カメラ付きゲーム端末等のカメラ機能を備えた電子機器全般に適用可能である。尚、カメラ機能を備えないパソコン等の電子機器であっても、音楽再生、画像表示が可能な電子機器であれば、適用可能である。
【００２０】
〔第１の実施の形態〕
図１は、第１の実施の形態におけるカメラ付き携帯電話（以下、単に「携帯電話」と表記する）１００の斜視図である。尚、本実施の形態では、折り畳み式携帯電話を例示して説明するが、携帯電話は折り畳み式でなくても構わない。
【００２１】
携帯電話１００は、操作部３と、表示部４と、記憶媒体読取部７と、スピーカ６と、撮像レンズ２１とを備えて構成される。操作部３は、電話番号や撮影操作等の各種操作を入力するためのものであり、複数の操作ボタン等によって構成される。表示部４は撮影された画像や各種操作画面を表示するためのものであり、ＬＣＤ（Liquid Crystal Display）やＥＬＤ（Electronic Luminescent Display）等によって構成される。
【００２２】
記憶媒体読取部７は、メモリカード等の記憶媒体１１が充填される充填口であり、記憶媒体１１が充填されると、記憶媒体１１に対してデータの読み取り／書き込みが行われる。スピーカ６は、音楽再生時に音楽が音声出力される手段である。撮像レンズ２１は、被写体を撮影するための光学レンズであり、撮像レンズ２１を介して得られた被写体像が画像データに変換されて、表示部４に表示される。
【００２３】
図２は、携帯電話１００の内部構成を示すブロック図である。携帯電話１００は、ＣＰＵ１と、撮像部２と、操作部３と、表示部４と、音楽再生制御部５と、スピーカ６と、記憶媒体読取部７と、記憶部８とを備えて構成される。
【００２４】
ＣＰＵ１は、入力される指示信号に応じて所定のプログラムに基づいた処理を実行する等して、携帯電話１００を統括的に制御するものである。具体的には、ＣＰＵ１は操作部３の操作によって入力される指示信号に応じて記憶部８から読み出したプログラムに基づいて処理を実行する。そして、処理結果を表示するための表示信号を表示部４に出力し、対応する画像を表示させる。
【００２５】
撮像部２は、撮影に用いられるレンズ及びレンズ駆動部、ＣＣＤ及びＣＣＤ駆動部、Ａ／Ｄ変換器等を備えて構成されており、ＣＰＵ１から出力される制御信号に従って撮像処理を行う。また、撮像部２は図１に示す撮像レンズ２１を含む。
【００２６】
操作部３は、数字・かな／英入力ボタン及び各種機能ボタン等を備えた操作ボタンによって構成され、押下操作された操作ボタンの押下信号をＣＰＵ１へ出力する。
【００２７】
表示部４は、ＬＣＤ、ＥＬＤ等によって構成され、ＣＰＵ１から出力される表示信号の指示に従って各種表示データの画面表示を行う。
【００２８】
音楽再生制御部５は、記憶部８に記憶された音楽データのうち、ＣＰＵ１が読み出した音楽データを音声信号に変換する制御を行う。変換された音声信号はスピーカ６に出力され、音声として出力される。
【００２９】
記憶媒体読取部７は、メモリカード等の記憶媒体１１に対してデータの読み取り／書き込みを行う。
【００３０】
記憶部８は、プログラムやデータ等が予め記録されている記録媒体であり、磁気的又は光学的記録媒体、半導体メモリ等によって構成されている。記憶部８は、携帯電話１００を作動させるためのシステムプログラム（不図示）の他に、表示部４において再生可能な画像データを記憶する画像データ記憶領域８１と、再生可能な音楽データを記憶する音楽データ記憶領域８２と、画像の表示部４における閲覧状況を記憶する閲覧状況記憶テーブル８３と、画像データ記憶領域８１に記憶された画像データのうち、選択された画像データに基づいて画像を表示させ、その閲覧状況を計測する画像再生プログラム８４と、音楽データ記憶領域８２に記憶された音楽データのうち、選択された音楽データに基づいて音楽を再生させ、閲覧状況記憶テーブル８３に記憶された各画像データの閲覧状況に基づいて画像を表示させるスライドショー再生プログラム８５とを含む。
【００３１】
画像データ記憶領域８１には、表示部４において再生可能な画像データが記憶されており、撮像部２によって取得（撮影）された画像データがＣＰＵ１を介して記憶される。または、記憶媒体１１に記憶されていた画像データが記憶媒体読取部７によって読み出されて、画像データ記憶領域８１に記憶されてもよい。
【００３２】
音楽データ記憶領域８２には、音楽再生制御部５及びスピーカ６によって再生可能な音楽データが記憶されており、例えば、インターネット等を利用した音楽配信サイト等から図示しない通信手段を介して音楽データがダウンロードされ、音楽データ記憶領域８２に記憶される。他には、記憶媒体１１に記憶されていた音楽データが記憶媒体読取部７によって読み出されて、音楽データ記憶領域８２に記憶されてもよい。
【００３３】
図３は、閲覧状況記憶テーブル８３のデータ構成の一例を示した図である。閲覧状況記憶テーブル８３には、画像データ記憶領域８１に記憶された画像データのファイル名毎に、該画像データに基づいた画像の表示部４における閲覧時間が記憶されている。各画像の閲覧時間の計測・記憶は、画像再生処理が実行されることによって行われる。
【００３４】
図４は、画像再生処理の流れを示すフローチャートを示す図である。画像再生処理はＣＰＵ１が画像再生プログラム８４に従って動作することにより行われる。画像再生処理が開始されたら、ＣＰＵ１は画像データ記憶領域８１に記憶されている例えば最新の画像データを読み出して、表示部４に画像データを出力し、画像を表示させる（ステップＳ１１）。ここで、最初に選択される画像データは最新の画像データでなくてもよく、ユーザによって選択された画像データ、最古の画像データ等でもよい。
【００３５】
そして、ＣＰＵ１は表示部４による画像表示開始と同時に、該画像の閲覧時間の計測を開始する（ステップＳ１２）。この閲覧時間の計測は、ＣＰＵ１の内部に含まれる、或いは携帯電話１００の内部にあってＣＰＵ１に接続されたクロック回路等によって行われる。
【００３６】
次に、次の画像選択がユーザによってなされたら（ステップＳ１３；ＹＥＳ）、ＣＰＵ１は画像の閲覧時間の計測を終了する（ステップＳ１４）。そしてＣＰＵ１は、閲覧状況記憶テーブル８３に記憶されている閲覧時間のうち、表示中の画像の閲覧時間を読み出して、その閲覧時間に計測した閲覧時間を加算し、加算結果を閲覧状況記憶テーブル８３に記憶する（ステップＳ１５）。続いてＣＰＵ１は選択された画像データを画像データ記憶領域８１から読み出して、表示部４に画像データを出力し、画像を表示させる（ステップＳ１６）。またユーザによって画像の再生終了が操作されたら、画像再生処理を終了する。
【００３７】
このように、各画像の閲覧時間を閲覧される毎に計測し、計測された閲覧時間を累積して記憶することにより、その画像が長く閲覧されているユーザ好みの画像であるかを判断する判断材料とすることができる。
【００３８】
図５は、スライドショー再生処理の流れについて示したフローチャートである。スライドショー再生処理は、ＣＰＵ１がスライドショー再生プログラム８５に従って動作することにより行われる。まず、ＣＰＵ１は画像データ記憶領域８１に記憶された画像データを、閲覧状況記憶テーブル８３に記憶された閲覧時間の長い順に並べ替える（ステップＳ２１）。尚、記憶部８に作業領域（不図示）を設け、閲覧状況記憶テーブル８３に記憶されたファイル名を閲覧時間の長い順に並べ替えて、リスト形式で作業領域に記憶させるようにしてもよい。
【００３９】
次に、ＣＰＵ１はユーザによって選択された音楽に対応する音楽データを音楽データ記憶領域８２から読み出して音楽再生制御部５に出力する。音楽再生制御部５によって音楽データに基づいた音声信号が生成され、音声信号に従ってスピーカ６から音楽が再生される。
【００４０】
そして、ＣＰＵ１は並べ替えられた画像データのうち、一番初めの（つまり、最も閲覧時間の長い）画像データを画像データ記憶領域８１から読み出して表示部４に出力し、画像を所定時間（例えば、２秒間）表示させる（ステップＳ２３）。続いて音楽再生が継続中の場合は（ステップＳ２４；ＮＯ）、ＣＰＵ１は並べ替えられた画像データのうち、次の画像データを画像データ記憶領域８１から読み出して表示部４に出力し、画像を所定時間表示させ（ステップＳ２５）、ステップＳ２４へ処理を移行する。音楽再生が終了した場合は（ステップＳ２４；ＹＥＳ）、ＣＰＵ１はスライドショー再生処理を終了する。
【００４１】
図６は、画像の表示タイミングを説明するための図である。図３に示した閲覧状況記憶テーブル８３を用いて説明する。例えば、ファイル名「ＩＭＧ０００３」に対応する画像の閲覧時間（５０秒）が画像データ記憶領域８１に記憶された画像データのうち最も長い場合、音楽再生開始と同時にファイル名「ＩＭＧ０００３」に対応する画像データがＣＰＵ１によって読み出され、表示部３に出力される。そしてその画像が２秒間表示される。その後、次に閲覧時間の長いファイル名「ＩＭＧ０００２」に対応する画像データがＣＰＵ１によって読み出され、表示部３に出力される。そしてその画像が２秒間表示される。このように音楽再生が開始されると、閲覧時間の長い順に画像データが読み出され、対応する画像が表示部４に表示されることにより、ユーザは煩雑な作業をすることなく、好みの画像を用いた音楽付きスライドショーを簡単に楽しむことができる。
【００４２】
尚、本実施の形態では、音楽が再生される際に、閲覧時間が長い順番に画像データを読み出して画像を表示部４に所定時間表示させることとしたが、閲覧時間に応じて音楽再生中の画像の表示時間を決定してもよい。図７を用いて具体的に説明する。音楽の再生が開始されると、ＣＰＵ１は画像データ記憶領域８１に記憶された、例えば最新の画像データを読み出して表示部４に画像を表示させる。その際の画像の表示時間は、画像データの閲覧時間が「２０秒」であった場合は、その１０分の１の時間である２秒間とする。その画像が２秒間表示された後、次の画像データを読み出して表示部４に画像を表示させる。次の画像データの閲覧時間が「３０秒」であった場合、ＣＰＵ１は表示中の画像を３秒間表示させる。以下、ＣＰＵ１は画像データを順次読み出して表示部４に出力し、その画像データの示す画像を閲覧時間の１０分の１の時間表示させる。これにより、ユーザによる閲覧時間の長い画像を長く表示させることができる。尚、上記では、各画像の表示時間を閲覧時間の１０分の１として説明したが、各画像の閲覧時間の長さに応じた表示時間であればよい。
【００４３】
〔第２の実施の形態〕
第１の実施の形態では、各画像の閲覧時間を記憶し、この閲覧時間に応じて音楽が再生される際の画像の表示順序や表示時間を変化させる画像記録再生装置及び画像記録再生方法について説明した。第２の実施の形態では、各画像の閲覧回数を記憶し、この閲覧回数に応じて音楽が再生される際の画像の表示順序や表示時間を変化させる画像記録再生装置及び画像記録再生方法について説明する。尚、第２の実施の形態における携帯電話１００の外観図及び内部構成を示すブロック図は、図１及び図２において示したものと同一である。従って、以下において同一要素については同符号を付し、その説明を省略又は簡略する。
【００４４】
図８は、第２の実施の形態における閲覧状況記憶テーブル８３のデータ構成の一例を示した図である。閲覧状況記憶テーブル８３には、画像データ記憶領域８１に記憶された画像データのファイル名毎に、画像データの示す画像の表示部４における閲覧回数が記憶されている。各画像の閲覧回数のカウント、記憶は、画像再生処理が実行されることによって行われる。
【００４５】
図９は、第２の実施の形態における画像再生処理の流れを示すフローチャートを示す図である。画像再生処理はＣＰＵ１が画像再生プログラム８４に従って動作することにより行われる。画像再生処理が開始されたら、ＣＰＵ１は画像データ記憶領域８１に記憶されている例えば最新の画像データを読み出して、表示部４に画像データを出力し、画像を表示させる（ステップＳ３１）。ここで、最初に選択される画像データは最新の画像データでなくてもよく、ユーザによって選択された画像データ、最古の画像データ等でもよい。
【００４６】
そして、ＣＰＵ１は閲覧状況記憶テーブル８３に記憶されている表示中の画像の閲覧回数を読み出して１加算し、加算結果を再び閲覧状況記憶テーブル８３に記憶する（ステップＳ３２）。続いて、次の画像選択がユーザによってなされたら（ステップＳ３３；ＹＥＳ）、ＣＰＵ１は選択された画像データを画像データ記憶領域８１から読み出して、表示部４に画像データを出力し、画像を表示させる（ステップＳ３４）。そしてユーザによって画像の再生終了が操作されたら、画像再生処理を終了する。
【００４７】
このように、各画像における閲覧回数をカウントして記憶することにより、その画像がユーザに多く閲覧されている好みの画像であるかを判断する判断材料とすることができる。
【００４８】
図１０は、第２の実施の形態におけるスライドショー再生処理の流れについて示したフローチャートである。スライドショー再生処理は、ＣＰＵ１がスライドショー再生プログラム８５に従って動作することにより行われる。まず、ＣＰＵ１は画像データ記憶領域８１に記憶された画像データを、閲覧状況記憶テーブル８３に記憶された閲覧回数の多い順に並べ替える（ステップＳ４１）。尚、記憶部８に作業領域（不図示）を設け、その作業領域に閲覧回数の多い順に画像データのファイル名を並べ記憶させてもよい。
【００４９】
次に、ＣＰＵ１はユーザによって選択された音楽に対応する音楽データを音楽データ記憶領域８２から読み出して音楽再生制御部５に出力する。これにより、音楽再生制御部５によって音楽データに基づいた音声信号が生成され、音声信号に従ってスピーカ６から音楽が再生される（ステップＳ４２）。
【００５０】
そして、ＣＰＵ１は並べ替えられた画像データのうち、一番初めの（つまり、最も閲覧回数の多い）画像データを画像データ記憶領域８１から読み出して表示部４に出力し、画像を所定時間（例えば、２秒間）表示させる（ステップＳ４３）。続いて音楽再生が継続中の場合は（ステップＳ４４；ＮＯ）、ＣＰＵ１は並べ替えられた画像データのうち、次の画像データを画像データ記憶領域８１から読み出して表示部４に出力し、画像を所定時間表示させ（ステップＳ４５）、ステップＳ４４へ処理を移行する。音楽再生が終了した場合は（ステップＳ４４；ＹＥＳ）、ＣＰＵ１はスライドショー再生処理を終了する。
【００５１】
図１１は、画像の表示タイミングを説明するための図である。図８に示した閲覧状況記憶テーブル８３を用いて説明する。例えば、ファイル名「ＩＭＧ０００３」に対応する画像の閲覧回数（２０回）が画像データ記憶領域８１に記憶された画像データのうち最も長い場合、音楽再生開始と同時にファイル名「ＩＭＧ０００３」に対応する画像データがＣＰＵ１によって読み出され、表示部３に出力される。そしてその画像が２秒間表示される。その後、次に閲覧回数の多いファイル名「ＩＭＧ０００１」に対応する画像データがＣＰＵ１によって読み出され、表示部３に出力される。そしてその画像が２秒間表示される。このように音楽再生が開始されると、閲覧回数の多い順に画像データが読み出され、対応する画像が表示部４に表示される。従って、ユーザは煩雑な作業をすることなく、好みの画像を用いた音楽付きスライドショーを簡単に楽しむことができる。
【００５２】
尚、本実施の形態では、音楽が再生される際に、閲覧回数が多い順番に画像データを読み出して画像を表示部４に所定時間表示させることとしたが、第１の実施の形態において図７を用いて説明したものと同様に、閲覧回数に応じて音楽再生中の画像の表示時間を決定するようにしてもよい。
【００５３】
〔第３の実施の形態〕
第１及び第２の実施の形態では、各画像の閲覧時間や閲覧回数等の閲覧状況を記憶し、この閲覧状況に応じて音楽が再生される際の画像の表示順序や表示時間を変化させる画像記録再生装置及び画像記録再生方法について説明した。第３の実施の形態では、閲覧状況に応じて各画像に点数を付与し、更に画像をグループ化してグループ毎に画像の点数の平均点を算出し、平均点が最も高いグループに含まれる画像には更に点数を付与して、点数に応じて音楽が再生される際の画像の表示順序や表示時間を変化させる画像記録再生装置及び画像記録再生方法について説明する。尚、以下において、上述した第１の実施の形態と同一要素については同符号を付し、その説明を省略または簡略する。
【００５４】
図１２は、第３の実施の形態における記憶部８ａについて示した図である。第３の実施の形態における携帯電話１００の機能ブロック図は、図２に示す機能ブロック図のうち、記憶部８を記憶部８ａに置き換えたものとなる。
【００５５】
記憶部８ａは、携帯電話１００を作動させるためのシステムプログラム（不図示）の他に、表示部４において再生可能な画像データを記憶する画像データ記憶領域８１と、再生可能な音楽データを記憶する音楽データ記憶領域８２と、画像データに基づいた画像の表示部４における閲覧状況を記憶する閲覧状況記憶テーブル８３ａと、画像データ記憶領域８１に記憶された画像データのうち、選択された画像データに基づいて画像を表示させ、その閲覧状況を計測して記憶する画像再生プログラム８４ａと、音楽データ記憶領域８２に記憶された音楽データのうち、選択された音楽データに基づいて音楽を再生させ、閲覧状況記憶テーブル８３ａに記憶された各画像データの閲覧状況に基づいて画像を表示させるスライドショー再生プログラム８５ａと、画像をグループ化する画像グループ化プログラム８６と、点数加算プログラム８７と、グループ化条件テーブル８８とを含む。
【００５６】
図１３は、第３の実施の形態における閲覧状況記憶テーブル８３ａのデータ構成の一例を示した図である。閲覧状況記憶テーブル８３ａには、画像データ記憶領域８１に記憶された画像データのファイル名毎に、画像データの示す画像の表示部４における閲覧時間、閲覧回数、点数、グループ、最終点数等が記憶されている。
【００５７】
画像の閲覧時間及び閲覧回数は、第１及び第２の実施の形態において説明した方法で計測されて記憶される。画像の点数は、例えば閲覧時間と閲覧回数の和を点数とする。その他に、閲覧時間の長さ及び閲覧回数の多さに比例した点数であれば、他の方法を用いて各画像の点数を決定しても構わない。また、１回の閲覧にかかる平均的な時間を予め設定しておき、閲覧時間をその１回の閲覧にかかる時間で割って、閲覧時間を閲覧回数に換算し、換算した結果と閲覧回数とを足すことによって画像の点数としてもよい。
【００５８】
画像のグループは、後述する画像グループ化処理によって決定された画像のグループ名を示すものである。最終点数は、画像のグループ化がなされた後、後述する点数加算処理によって点数に追加点数が加算された後の各画像の点数を示すものである。
【００５９】
図１４は、第３の実施の形態における画像再生処理の流れを示すフローチャートを示す図である。画像再生処理はＣＰＵ１が画像再生プログラム８４ａに従って動作することにより行われる。画像再生処理が開始されたら、ＣＰＵ１は画像データ記憶領域８１に記憶されている例えば最新の画像データを読み出して、表示部４に画像データを出力し、画像を表示させる（ステップＳ５１）。ここで、最初に選択される画像データは最新の画像データでなくてもよく、ユーザによって選択された画像データ、最古の画像データ等でもよい。
【００６０】
そして、ＣＰＵ１は表示部４による画像表示開始と同時に、該画像の閲覧時間の計測を開始し（ステップＳ５２）、更に表示中の画像の閲覧回数を閲覧状況記憶テーブル８３ａから読み出して１加算し、加算結果を閲覧状況記憶テーブル８３ａに記憶する（ステップＳ５３）。閲覧時間の計測は、ＣＰＵ１の内部に含まれる、或いは携帯電話１００の内部にありＣＰＵ１に接続されたクロック回路等によって行われる。
【００６１】
次に、次の画像選択がユーザによってなされたら（ステップＳ５４；ＹＥＳ）、ＣＰＵ１は画像の閲覧時間の計測を終了する（ステップＳ５５）。そしてＣＰＵ１は、閲覧状況記憶テーブル８３に記憶されている閲覧時間のうち、表示中の画像の閲覧時間を読み出して、その閲覧時間に計測した閲覧時間を加算し、加算結果を閲覧状況記憶テーブル８３に記憶する（ステップＳ５６）。続いてＣＰＵ１は選択された画像データを画像データ記憶領域８１から読み出して、表示部４に画像データを出力し、画像を表示させる（ステップＳ５７）。またユーザによって画像の再生終了が操作されたら、画像再生処理を終了する。
【００６２】
このように、各画像における閲覧時間及び閲覧回数を計測して記憶することにより、その画像が多く閲覧されているユーザ好みの画像であるかを判断する判断材料とすることができる。
【００６３】
図１５は、画像グループ化処理の流れを示すフローチャートを示す図である。画像再生処理はＣＰＵ１が画像グループ化プログラム８６に従って動作することにより行われる。フローチャートについて説明する前に、図１６を用いて画像をグループ化する際の条件の一例について説明する。画像は、人物の有無、屋内撮影か屋外撮影か、近距離撮影か遠距離撮影か等によって分類され、図１６のグループ化条件テーブル８８に示すように、グループＡ〜Ｈの８つのグループに分類される。例えば、グループＡは「人物有り」、「屋内撮影」、「近距離撮影」を満足する画像を含むものであり、グループＨは「人物無し」、「屋外撮影」、「遠距離撮影」の条件を満足する画像を含むものである。尚、本実施の形態では、画像を８つのグループに分ける場合について説明するが、グループの数、グループ化の条件等はこの限りではない。グループ化条件テーブル８８に示す「風景フラグ」、「屋外フラグ」、「遠距離フラグ」は各グループにおける各フラグの状態を示すものであり、画像グループ化処理において画像をグループ化する際に参照するものである。
【００６４】
画像グループ化処理の説明に戻る。まずＣＰＵ１は画像データ記憶領域８１に記憶されている画像データから例えば最新の画像データを読み出し（ステップＳ６１）、風景フラグ、屋外フラグ及び遠距離フラグをＯＦＦにする（ステップＳ６２）。そしてＣＰＵ１は読み出された画像データの示す画像に人物がいるか否かを判別する（ステップＳ６３）。画像に人物が含まれるか否かを判別は、特開平７−１２８０３１号公報（顔画像認識装置）の他、顔検出に係る公知の技術を用いることによって実現可能である。画像に人物が含まれていなければ（ステップＳ６３；ＮＯ）、ＣＰＵ１は風景フラグをＯＮにする（ステップＳ６４）。
【００６５】
次に、ＣＰＵ１は画像の撮影場所が屋内か屋外かを判別する（ステップＳ６５）。画像の撮影場所の特定は、オートホワイトバランス技術や画像内の光源分析を行う公知の画像分析技術を用いることによって実現可能である。画像の撮影場所が屋内でない場合は（ステップＳ６５；ＮＯ）、ＣＰＵ１は屋外フラグをＯＮにする（ステップＳ６６）。
【００６６】
次に、ＣＰＵ１は画像の焦点距離が近いか否かを判別する（ステップＳ６７）。つまり、画像を撮影した撮影装置（携帯電話１００、デジカメ等）から被写体までの距離が近距離であるか遠距離であるかを判別する。これは撮影後に画像データに付与情報として焦点距離を含ませることによって判別可能である。焦点距離が遠い場合は（ステップＳ６７；ＮＯ）、ＣＰＵ１は遠距離フラグをＯＮにする（ステップＳ６８）。
【００６７】
続いて、ＣＰＵ１はグループ化条件テーブル８８に記憶された各グループのフラグの立ち方に基づいて、現在の風景フラグ、屋外フラグ及び遠距離フラグの状態から画像のグループを決定し、閲覧状況記憶テーブル８３ａに記憶する（ステップＳ６９）。そしてＣＰＵ１は読み出した画像データが最後の画像データであるか否かを判別し、最後の画像データでなければ、次の画像データを画像データ記憶領域８１から読み出して（ステップＳ７１）、ステップＳ６２へ処理を移行する。最後の画像データである場合は、画像グループ化処理を終了する。
【００６８】
このように、画像をグループ化し、次に説明する点数加算処理によって各グループに含まれる画像の平均点を算出して、平均点の高いグループに含まれる画像に追加得点を与える。図１７は、点数加算処理の流れを示すフローチャートを示す図である。点数加算処理はＣＰＵ１が点数加算プログラム８７に従って動作することにより行われる。ＣＰＵ１は閲覧時間及び閲覧回数に基づいて画像毎に点数を算出し、閲覧状況記憶テーブル８３ａに記憶する（ステップＳ８１）。そしてグループ毎に画像の平均点数を計算し（ステップＳ８２）、最も平均点数の高いグループを決定する（ステップＳ８３）。続いてＣＰＵ１は最も平均点数の高いグループに含まれる画像全てに所定点数（例えば１０点）を追加して加算し、加算後の点数を閲覧状況記憶テーブル８３ａの「最終点数」として記憶する（ステップＳ８４）。そして、点数加算処理を終了する。尚、本実施の形態では、所定点数が加算された後の点数を「最終点数」として記憶することとしたが、加算後の点数を閲覧状況記憶テーブル８３ａの「点数」の欄に更新して記憶するようにしてもよい。
【００６９】
図１３を用いて具体的に説明する。例えば、グループＡ〜Ｈのうち、グループＡの画像の平均点数が最も高かった場合、ファイル名「ＩＭＧ０００３」に対応する画像の点数は７０点だが、グループＡに属しているために１０点が加算されて、「最終点数」は８０点となる。またファイル名「ＩＭＧ０００５」に対応する画像の点数は３３点だが、グループＡに属しているために１０点が加算され、「最終点数」は４３点となる。このように、画像をグループ化し、グループ毎の平均点を求め、平均点の最も高かったグループに属する画像に所定点数を加算することにより、ユーザの好みの画像であるが、見逃していたために閲覧時間が短く、或いは閲覧回数が少なくて点数が低かった画像の点数を高くすることができる。
【００７０】
尚、本実施の形態では、グループごとに画像の平均点数を計算し、最も平均点数の高いグループに属する画像に対して所定点数を追加加算することとしたが、例えば平均点数が基準となる点数よりも高いグループに含まれる画像に対して所定点数を追加加算することとしてもよいし、最も点数の高い画像を含むグループに属する画像に対して所定点数を追加加算することとしてもよい。また、例えば平均点数が１位のグループに属する画像には１０点、２位のグループに属する画像には８点、３位のグループに属する画像には６点、・・などと、平均点数の順位に応じて追加加算する点数を変化させてもよい。
【００７１】
図１８は、第３の実施の形態におけるスライドショー再生処理の流れについて示したフローチャートである。スライドショー再生処理は、ＣＰＵ１がスライドショー再生プログラム８５ａに従って動作することにより行われる。まず、ＣＰＵ１は画像データ記憶領域８１に記憶された画像データを、閲覧状況記憶テーブル８３ａに記憶された最終点数の高い順に並べ替える（ステップＳ９１）。尚、記憶部８に作業領域（不図示）を設け、その作業領域に最終点数の高い順に画像データのファイル名を並べて記憶させてもよい。
【００７２】
次に、ＣＰＵ１はユーザによって選択された音楽に対応する音楽データを音楽データ記憶領域８２から読み出して音楽再生制御部５に出力する。これにより、音楽再生制御部５によって音楽データに基づいた音声信号が生成され、音声信号に従ってスピーカ６から音楽が再生される（ステップＳ９２）。
【００７３】
そして、ＣＰＵ１は並べ替えられた画像データのうち、一番初めの（つまり、最終点数の最も高い）画像データを画像データ記憶領域８１から読み出して表示部４に出力し、画像を所定時間（例えば、２秒間）表示させる（ステップＳ９３）。続いて音楽再生が継続中の場合は（ステップＳ９４；ＮＯ）、ＣＰＵ１は並べ替えられた画像データのうち、次の画像データを画像データ記憶領域８１から読み出して表示部４に出力し、画像を所定時間表示させ（ステップＳ９５）、ステップＳ９４へ処理を移行する。音楽再生が終了した場合は（ステップＳ９４；ＹＥＳ）、ＣＰＵ１はスライドショー再生処理を終了する。
【００７４】
このように、画像をグループ化し、グループ毎の平均点を求め、平均点の最も高かったグループに属する画像に所定点数を加算することにより、ユーザの好みの画像であるが、見逃していたために閲覧時間が短く、或いは閲覧回数が少なくて点数が低かった画像の点数を高くすることができる。そして、音楽再生が開始されると、最終点数の高い順に画像データを読み出して対応する画像を表示部４に表示することによって、ユーザは煩雑な作業をすることなく、好みの画像を用いた音楽付きスライドショーを簡単に楽しむことができる。
【００７５】
尚、本実施の形態では、音楽が再生される際に、最終点数が高い順番に画像データを読み出して画像を表示部４に所定時間表示させることとしたが、第１の実施の形態において図７を用いて説明したものと同様に、最終点数に応じて音楽再生中の画像の表示時間を決定してもよい。また、画像再生処理において各画像の閲覧時間及び閲覧回数を計測することとし、閲覧状況記憶テーブル８３ａには各画像の閲覧時間及び閲覧回数を記憶することとしたが、閲覧時間又は閲覧回数の何れか一方のみを計測して記憶するようにしてもよい。
【００７６】
〔第４の実施の形態〕
第３の実施の形態では、閲覧時間及び閲覧回数に応じて各画像に点数を付与し、更に画像をグループ化してグループ毎に画像の点数の平均点を算出し、平均点が最も高いグループに含まれる画像には更に点数を付与して、点数に応じて音楽が再生される際の画像の表示順序や表示時間を変化させる画像記録再生装置及び画像記録再生方法について説明した。第４の実施の形態では、画像に含まれる被写体（人物）に対して人物点数を付与し、高い人物点数が付与された人物を含む画像に対して追加点数を付与して、点数に応じて音楽が再生される際の画像の表示順序や表示時間を変化させる画像記録再生装置及び画像記録再生方法について説明する。尚、以下において、上述した第１の実施の形態と同一要素については同符号を付し、その説明を省略または簡略する。また、本実施の形態では、被写体として人物を撮影した画像を分類する例を挙げて説明するが、人物の顔の他に、動物、建造物等の特徴的な被写体であって、画像認識が可能なものであればよい。
【００７７】
まず、図１９を用いて、本実施の形態について簡単に説明する。まず、第１〜第３の実施の形態において説明した方法と同様の方法で、各画像の閲覧時間及び閲覧回数を計測して記憶し、閲覧時間及び閲覧回数に応じた点数を算出する（ステップＩ）。そしてそれぞれの画像に含まれる人物を抽出し、人物毎に人物点数を計算する（ステップII）。人物点数は、例えば人物９０Ａが写っている画像の点数の和とする。図１９の場合、人物Ａが写っている画像は、画像９１、９３及び９６であるため、画像９１、９３及び９６の点数の和である「１２８」点が人物Ａの人物点数となる。同様に人物Ｂが写っている画像は、画像９２及び９７であるため、画像９２及び９７の点数の和である「５７」点が人物Ｂの人物点数となる。ここで、人物点数の高い人物が写っている画像は、ユーザが長い時間又は多く閲覧している画像ということになる。
【００７８】
各人物の人物点数が算出されたら、最も人物点数の高い人物を決定し、その人物が写っている画像に対して所定点数（例えば１０点）を加算する（ステップIII）。例えば、図１９におけるステップIIにおける人物９０Ａ、９０Ｂ及び９０Ｃのうち、最も人物点数の高いものは人物９０Ａである。従って、人物９０Ａが写っている画像９１、９３及び９６の点数に対して所定点数を追加して加算する。これにより、ユーザの好みの人物が写っている画像であるが、見逃していたために閲覧時間及び閲覧回数が少なく、点数が低くかった画像の点数を上げることができる。
【００７９】
図２０は、第４の実施の形態における記憶部８ｂについて示した図である。第３の実施の形態における携帯電話１００の機能ブロック図は、図２に示す機能ブロック図のうち、記憶部８を記憶部８ｂに置き換えたものとなる。
【００８０】
記憶部８ｂは、携帯電話１００を作動させるためのシステムプログラム（不図示）の他に、表示部４において再生可能な画像データを記憶する画像データ記憶領域８１と、再生可能な音楽データを記憶する音楽データ記憶領域８２と、画像データに基づいた画像の表示部４における閲覧状況を記憶する閲覧状況記憶テーブル８３ｂと、画像データ記憶領域８１に記憶された画像データのうち、選択された画像データに基づいて画像を表示させ、その閲覧状況を計測する画像再生プログラム８４ａと、音楽データ記憶領域８２に記憶された音楽データのうち、選択された音楽データに基づいて音楽を再生させ、閲覧状況記憶テーブル８３ａに記憶された各画像データの閲覧状況に基づいて画像を表示させるスライドショー再生プログラム８５ａと、画像から人物を抽出して人物毎に人物点数を付与する人物点数付けプログラム８６ｂと、人物点数に応じて画像の点数に追加点数を加算する点数加算プログラム８７ｂと、画像から抽出された人物に対応付けて人物点数を記憶する人物リスト８９とを含む。
【００８１】
図２１は、第４の実施の形態における閲覧状況記憶テーブル８３ｂのデータ構成の一例を示した図である。閲覧状況記憶テーブル８３ｂには、画像データ記憶領域８１に記憶された画像データのファイル名毎に、画像データの示す画像の表示部４における閲覧時間、閲覧回数、点数、最終点数等が記憶されている。
【００８２】
画像の閲覧時間及び閲覧回数は、第１及び第２の実施の形態において説明した方法で計測されて記憶される。画像の点数は、例えば閲覧時間と閲覧回数の和を点数とする。その他に、閲覧時間の長さ及び閲覧回数の多さに比例した点数であれば、他の方法を用いて各画像の点数を決定しても構わない。最終点数は、後述する人物点数付け処理及び点数加算処理によって、各画像から人物が抽出されて人物点数が付与された後、最も人物点数の高い人物が写っている画像に対して追加点数が加算された後の各画像の点数を示すものである。
【００８３】
図２２は、人物リスト８９のデータ構成の一例を示した図である。人物点数付けプログラム８６ｂに従った人物点数付け処理によって、人物リスト８９には抽出された人物の顔を特定するための顔データ等を含む人物データと、人物データに対応付けて人物点数が記憶される。
【００８４】
図２３は、人物点数付け処理の流れを示したフローチャートである。人物点数付け処理は、ＣＰＵ１が人物点数付けプログラム８６ｂに従って動作することにより行われる。ＣＰＵ１はまず画像データ記憶領域８１に記憶されている画像データのうち、例えば最新の画像データを読み出し（ステップＳ１０１）、読み出した画像データの示す画像に人物が含まれているか否かを判別する（ステップＳ１０２）。画像に人物が含まれるか否かの判別は、特開平７−１２８０３１号公報（顔画像認識装置）の他、顔検出に係る公知の技術を用いることによって実現可能である。
【００８５】
人物が含まれている場合（ステップＳ１０２；ＹＥＳ）、ＣＰＵ１は画像から人物を１人抽出する（ステップＳ１０３）。そして抽出された人物が、人物リスト８９に登録されているか否かを判別する（ステップＳ１０４）。登録されていない場合（ステップＳ１０４；ＮＯ）、ＣＰＵ１は抽出した人物を人物リスト８９に登録する（ステップＳ１０５）。顔画像の照合は、特開２０００−３００６６号公報（顔画像照合方法及び顔画像照合装置）の他、顔認識に係る公知の技術を用いることによって実現可能である。
【００８６】
そしてＣＰＵ１は、閲覧状況記憶テーブル８３ｂから画像の点数を読み出して、人物リスト８９に記憶されている人物点数に加算して記憶し（ステップＳ１０６）、その画像に含まれる人物を全て抽出し終わっていない場合は（ステップＳ１０７；ＮＯ）、ステップＳ１０３へ処理を移行する。画像に含まれる人物を全て抽出し終わった場合は（ステップＳ１０７；ＹＥＳ）、ＣＰＵ１はその画像が画像データ記憶領域８１に記憶されている最後の画像であるか否かを判別し（ステップＳ１０８）、最後の画像でない場合は（ステップＳ１０８；ＮＯ）、ＣＰＵ１は画像データ記憶領域８１から次の画像データを読み出してステップＳ１０２へ処理を移行する。最後の画像である場合は（ステップＳ１０８；ＹＥＳ）、人物点数付け処理を終了する。
【００８７】
このように、画像に含まれる人物を抽出して、その人物が写っている画像の点数を積算した結果を人物点数とすることによって、ユーザの閲覧時間が長い又は閲覧回数の多い画像に写っている人物を特定する判断材料とすることができる。つまり、人物点数の高い人物は、ユーザが画像として好んで表示させているということになる。
【００８８】
図２４は、点数加算処理の流れを示したフローチャートである。点数加算処理は、ＣＰＵ１が点数加算プログラム８７ｂに従って動作することにより行われる。まずＣＰＵ１は、人物リスト８９に記憶されている人物のうち、人物点数の最も高い人物を決定する（ステップＳ１１１）。そして、画像データ記憶領域８１から最新の画像データを読み出し（ステップＳ１１２）、その画像データの示す画像に人物が含まれているか否かを判別する（ステップＳ１１３）。人物が含まれていない場合は（ステップＳ１１３；ＮＯ）、ステップＳ１１８へ処理を移行する。人物が含まれている場合は（ステップＳ１１３；ＹＥＳ）、ＣＰＵ１は画像から人物を１人抽出し（ステップＳ１１４）、その画像が最も人物点数の高い人物であるか否かを判別する（ステップＳ１１５）。最も人物点数の高い人物である場合（ステップＳ１１５；ＹＥＳ）、閲覧状況記憶テーブル８３ｂから画像の点数を読み出して、所定点数（例えば１０点）を加算し、加算結果を最終点数として記憶する（ステップＳ１１６）。
【００８９】
そしてＣＰＵ１は画像に含まれる人物が全て抽出されたか否かを判別し（ステップＳ１１７）、まだ抽出されていない人物がある場合は（ステップＳ１１７；ＮＯ）、ステップＳ１１４へ処理を移行する。人物の抽出が終了した場合は（ステップＳ１１７；ＹＥＳ）、その画像に対応する画像データが画像データ記憶領域８１に記憶されている最後の画像データであるか否かを判別し（ステップＳ１１８）、最後の画像データでない場合は（ステップＳ１１８；ＮＯ）、次の画像データを読み出してステップＳ１１３へ処理を移行する。最後の画像データである場合は（ステップＳ１１８；ＹＥＳ）、点数加算処理を終了する。そしてユーザによって音楽付きスライドショーの実行が選択された場合は、第３の実施の形態において説明したスライドショー再生処理が実行される。即ち、音楽の再生と共に、最終点数の高い順番に画像データ記憶領域８１から画像データが読み出されて表示部４に出力され、画像データの示す画像が所定時間表示される。
【００９０】
尚、本実施の形態の点数加算処理では、画像データ毎に該画像データの示す画像に人物を抽出し、更にその人物が最も人物点数の高い人物であるかを判別して、結果に応じて所定点数を加算することとしたが、人物リスト８９に記憶された人物毎に画像データをグループ分けし、最も人物点数の高い人物のグループに属する画像データに対して所定点数を加算するようにしてもよい。この場合、１つの画像に複数の人物が写っている場合は、その画像に対応する画像データは複数のグループに属することになる。
【００９１】
このように、画像に含まれる人物を抽出して、その人物が写っている画像の点数を積算した結果を人物点数とすることによって、ユーザの閲覧時間が長い又は閲覧回数の多い画像に写っている人物を特定することができる。つまり、人物点数の高い人物は、ユーザが好んで画像として表示させている人物ということになる。更に最も人物点数の高い人物が写っている画像の点数に追加点数を加算することにより、ユーザの好みの人物が映っている画像であるが、見逃していたために閲覧時間が短く、或いは閲覧回数が少なくて点数が低かった画像の点数を高くすることができる。そして、音楽再生が開始されると、最終点数の高い順に画像データを読み出して対応する画像を表示部４に表示することによって、ユーザは煩雑な作業をすることなく、ユーザの好みの画像を用いた音楽付きスライドショーを簡単に楽しむことができる。
【００９２】
尚、本実施の形態では、音楽が再生される際に、最終点数が高い順番に画像データを読み出して画像を表示部４に所定時間表示させることとしたが、第１の実施の形態において図７を用いて説明したものと同様に、最終点数に応じて音楽再生中の画像の表示時間を決定してもよい。また、画像再生処理において各画像の閲覧時間及び閲覧回数を計測することとし、閲覧状況記憶テーブル８３ａには各画像の閲覧時間及び閲覧回数を記憶することとしたが、閲覧時間又は閲覧回数の何れか一方のみを計測して記憶するようにしてもよい。
【００９３】
尚、本実施の形態の人物点数付け処理では、画像データ記憶領域８１に記憶されている画像データの示す画像に含まれる人物を全て抽出して人物点数を付与することとしたが、例えば画像の点数の平均点を算出し、点数が平均点以上の画像についてのみ人物の抽出を行って、人物点数を付与することとしてもよい。更に、点数加算処理においては、最も人物点数の高い人物を決定し、その人物を含む画像の点数に対して所定点数を加算することとしたが、例えば人物点数の平均点を算出し、人物点数が平均点以上の人物を含む画像に対して所定点数を加算するようにしてもよい。また人物点数の順位に応じて、追加加算する点数を変化させてもよい。
【図面の簡単な説明】
【００９４】
【図１】携帯電話の概観図
【図２】第１の実施の形態における携帯電話の機能を示すブロック図
【図３】第１の実施の形態における閲覧状況記憶テーブルのデータ構成を示した図
【図４】第１の実施の形態における画像再生処理の流れを示したフローチャート
【図５】第１の実施の形態におけるスライドショー再生処理の流れを示したフローチャート
【図６】第１の実施の形態における画像の表示タイミングを説明するための図
【図７】第１の実施の形態における画像の表示タイミングを説明するための図
【図８】第２の実施の形態における閲覧状況記憶テーブルのデータ構成を示した図
【図９】第２の実施の形態における画像再生処理の流れを示したフローチャート
【図１０】第２の実施の形態におけるスライドショー再生処理の流れを示したフローチャート
【図１１】第２の実施の形態における画像の表示タイミングを説明するための図
【図１２】第３の実施の形態における記憶部のデータ構成を示した図
【図１３】第３の実施の形態における閲覧状況記憶テーブルのデータ構成を示した図
【図１４】第３の実施の形態における画像再生処理の流れを示したフローチャート
【図１５】第３の実施の形態における画像グループ化処理の流れを示したフローチャート
【図１６】第３の実施の形態におけるグループ化条件テーブルのデータ構成を示した図
【図１７】第３の実施の形態における点数加算処理の流れを示したフローチャート
【図１８】第３の実施の形態におけるスライドショー再生処理の流れを示したフローチャート
【図１９】第４の実施の形態について説明した図
【図２０】第４の実施の形態における記憶部のデータ構成を示した図
【図２１】第４の実施の形態における閲覧状況記憶テーブルのデータ構成を示した図
【図２２】第４の実施の形態における人物リストのデータ構成を示した図
【図２３】第４の実施の形態における人物点数付け処理の流れを示したフローチャート
【図２４】第４の実施の形態における点数加算処理の流れを示したフローチャート
【符号の説明】
【００９５】
１００    携帯電話
１        制御部
２        撮像部
３        操作部
４        表示部
５        音楽再生制御部
６        スピーカ
７        記憶媒体読取部
８        記憶部
【図１】
2007174467.tif 000003
【図２】
2007174467.tif 000004
【図３】
2007174467.tif 000005
【図４】
2007174467.tif 000006
【図５】
2007174467.tif 000007
【図６】
2007174467.tif 000008
【図７】
2007174467.tif 000009
【図８】
2007174467.tif 000010
【図９】
2007174467.tif 000011
【図１０】
2007174467.tif 000012
【図１１】
2007174467.tif 000013
【図１２】
2007174467.tif 000014
【図１３】
2007174467.tif 000015
【図１４】
2007174467.tif 000016
【図１５】
2007174467.tif 000017
【図１６】
2007174467.tif 000018
【図１７】
2007174467.tif 000019
【図１８】
2007174467.tif 000020
【図１９】
2007174467.tif 000021
【図２０】
2007174467.tif 000022
【図２１】
2007174467.tif 000023
【図２２】
2007174467.tif 000024
【図２３】
2007174467.tif 000025
【図２４】
2007174467.tif 000026